(57)【要約】【課題】  透明な板状基板の表面を突出させることなく、その板状基板に立体感のある意匠部を表示可能な表示装置を提供する。【解決手段】  表示装置１７は、一部の領域における光の透過を遮断可能な透明な板状基板２２と、板状基板２２の裏面側に配置される面状発光体１９と、板状基板２２および面状発光体１９間に配置されて一部の領域における光の透過を遮断可能な遮光板２１とを備え、板状基板２２に文字あるいは図形よりなる所定形状の意匠部２３を表示する。板状基板２２の裏面側は意匠部２３の輪郭と同形状の凹部２２ｂよりなる第１遮光領域Ａ１を備えるとともに、遮光板２１の表面側あるいは裏面側は凹部２２ｂの輪郭を第１寸法Ｗ１だけ外側に拡大した形状を有する第２遮光領域Ａ２を備え、第１遮光領域Ａ１には面状発光体１９からの光を遮断する第１遮光層Ｌ１が形成され、第２遮光領域Ａ２には面状発光体１９からの光を遮断する第２遮光層Ｌ２が形成される。【選択図】        図５
2018066881.tif 000002
【特許請求の範囲】
【請求項１】
一部の領域における光の透過を遮断可能な透明な板状基板（２２）と、前記板状基板（２２）の裏面側に配置される面状発光体（１９）と、前記板状基板（２２）および前記面状発光体（１９）間に配置されて一部の領域における光の透過を遮断可能な遮光板（２１）とを備え、前記板状基板（２２）に文字あるいは図形よりなる所定形状の意匠部（２３）を表示する表示装置であって、
前記板状基板（２２）の裏面側は前記意匠部（２３）の輪郭と同形状の凹部（２２ｂ）よりなる第１遮光領域（Ａ１）を備えるとともに、前記遮光板（２１）の表面側あるいは裏面側は前記凹部（２２ｂ）の輪郭を第１寸法（Ｗ１）だけ外側に拡大した形状を有する第２遮光領域（Ａ２）を備え、前記第１遮光領域（Ａ１）には前記面状発光体（１９）からの光を遮断する第１遮光層（Ｌ１）が形成され、前記第２遮光領域（Ａ２）には前記面状発光体（１９）からの光を遮断する第２遮光層（Ｌ２）が形成されることを特徴とする表示装置。
【請求項２】
前記遮光板（２１）の表面側あるいは裏面側は前記凹部（２２ｂ）の輪郭を第２寸法（Ｗ２）だけ内側に縮小した形状を有する第３遮光領域（Ａ３）を備え、前記第３遮光領域（Ａ３）には前記面状発光体（１９）からの光を遮断する第３遮光層（Ｌ３）が形成されることを特徴とする、請求項１に記載の表示装置。
【請求項３】
前記第２寸法（Ｗ２）は、前記板状基板（２２）に前記遮光板（２１）を組み付けた際の該板状基板（２２）の裏面に沿う方向の組付公差よりも大きいことを特徴とする、請求項２に記載の表示装置。
【請求項４】
前記第１遮光層（Ｌ１）は前記凹部（２２ｂ）の内面に形成された金属蒸着膜（２４）からなることを特徴とする、請求項１〜請求項３の何れか１項に記載の表示装置。
【請求項５】
前記第２遮光層（Ｌ２）は表面色印刷層（２７）、白色印刷層（２６）および黒色印刷層（２５）を表面側から裏面側に積層して構成されることを特徴とする、請求項１〜請求項４の何れか１項に記載の表示装置。
【請求項６】
一部の領域における光の透過を遮断可能な透明な板状基板（２２）と、前記板状基板（２２）の裏面側に配置される面状発光体（１９）とを備え、前記板状基板（２２）に文字あるいは図形よりなる所定形状の意匠部（２３）を表示する表示装置であって、
前記板状基板（２２）の裏面側は、前記意匠部（２３）の輪郭と同形状の凹部（２２ｂ）よりなる第１遮光領域（Ａ１）と、前記凹部（２２ｂ）の周囲を第１寸法（Ｗ１）の隙間を介して取り囲む第２遮光領域（Ａ２）とを備え、前記第１遮光領域（Ａ１）には前記面状発光体（１９）からの光を遮断する第１遮光層（Ｌ１）が形成され、前記第２遮光領域（Ａ２）には前記面状発光体（１９）からの光を遮断する第２遮光層（Ｌ２）が形成されることを特徴とする表示装置。
【請求項７】
前記第１遮光層（Ｌ１）は前記凹部（２２ｂ）の内面に形成された金属蒸着膜（２４）からなることを特徴とする、請求項６に記載の表示装置。
【請求項８】
前記第１遮光層（Ｌ１）は前記金属蒸着膜（２４）の裏面側に積層された黒色印刷層（３０）を更に備えることを特徴とする、請求項７に記載の表示装置。
【請求項９】
車両のドア開口（１１）の下縁のステップ部（１２）に設けられることを特徴とする、請求項１〜請求項８の何れか１項に記載の表示装置。
【発明の詳細な説明】
【技術分野】
【０００１】
本発明は、一部の領域における光の透過を遮断可能な透明な板状基板と、前記板状基板の裏面側に配置される面状発光体とを備え、前記板状基板に文字あるいは図形よりなる所定形状の意匠部を表示する表示装置に関する。
【背景技術】
【０００２】
表面に光不透過性の文字形状体を貼り付けた透明樹脂製の基板と、基板の裏面側に重ね合わされて文字形状体の輪郭よりも僅かに大きい開口部を有する透光制御層と、透光制御層の裏面側に重ね合わされた面状光源とを備え、面状光源から発せられた光を透光制御層の開口部と基板の文字形状体の輪郭との間の隙間を通過させることで、基板の表面に文字形状体を浮かび上がらせて意匠効果を高める車両用照明プレートが、下記特許文献１により公知である。
【先行技術文献】
【特許文献】
【０００３】
【特許文献１】特許第５８２０２８６号公報
【発明の概要】
【発明が解決しようとする課題】
【０００４】
ところで、かかる車両用照明プレートは、透明樹脂製の基板の表面からの文字形状体の突出量を大きくすると立体感が増して美観が向上するが、上記従来のものは、文字形状体の突出量を大きくすると、車両に乗降する乗員の足が文字形状体に接触し易くなり、文字形状体が傷ついたり乗員の乗降の邪魔になったりする問題がある。
【０００５】
本発明は前述の事情に鑑みてなされたもので、透明な板状基板の表面を突出させることなく、その板状基板に立体感のある意匠部を表示可能な表示装置を提供することを目的とする。
【課題を解決するための手段】
【０００６】
上記目的を達成するために、請求項１に記載された発明によれば、一部の領域における光の透過を遮断可能な透明な板状基板と、前記板状基板の裏面側に配置される面状発光体と、前記板状基板および前記面状発光体間に配置されて一部の領域における光の透過を遮断可能な遮光板とを備え、前記板状基板に文字あるいは図形よりなる所定形状の意匠部を表示する表示装置であって、前記板状基板の裏面側は前記意匠部の輪郭と同形状の凹部よりなる第１遮光領域を備えるとともに、前記遮光板の表面側あるいは裏面側は前記凹部の輪郭を第１寸法だけ外側に拡大した形状を有する第２遮光領域を備え、前記第１遮光領域には前記面状発光体からの光を遮断する第１遮光層が形成され、前記第２遮光領域には前記面状発光体からの光を遮断する第２遮光層が形成されることを特徴とする表示装置が提案される。
【０００７】
また請求項２に記載された発明によれば、請求項１の構成に加えて、前記遮光板の表面側あるいは裏面側は前記凹部の輪郭を第２寸法だけ内側に縮小した形状を有する第３遮光領域を備え、前記第３遮光領域には前記面状発光体からの光を遮断する第３遮光層が形成されることを特徴とする表示装置が提案される。
【０００８】
また請求項３に記載された発明によれば、請求項２の構成に加えて、前記第２寸法は、前記板状基板に前記遮光板を組み付けた際の該板状基板の裏面に沿う方向の組付公差よりも大きいことを特徴とする表示装置が提案される。
【０００９】
また請求項４に記載された発明によれば、請求項１〜請求項３の何れか１項の構成に加えて、前記第１遮光層は前記凹部の内面に形成された金属蒸着膜からなることを特徴とする表示装置が提案される。
【００１０】
また請求項５に記載された発明によれば、請求項１〜請求項４の何れか１項の構成に加えて、前記第２遮光層は表面色印刷層、白色印刷層および黒色印刷層を表面側から裏面側に積層して構成されることを特徴とする表示装置が提案される。
【００１１】
また請求項６に記載された発明によれば、一部の領域における光の透過を遮断可能な透明な板状基板と、前記板状基板の裏面側に配置される面状発光体とを備え、前記板状基板に文字あるいは図形よりなる所定形状の意匠部を表示する表示装置であって、前記板状基板の裏面側は、前記意匠部の輪郭と同形状の凹部よりなる第１遮光領域と、前記凹部の周囲を第１寸法の隙間を介して取り囲む第２遮光領域とを備え、前記第１遮光領域には前記面状発光体からの光を遮断する第１遮光層が形成され、前記第２遮光領域には前記面状発光体からの光を遮断する第２遮光層が形成されることを特徴とする表示装置が提案される。
【００１２】
また請求項７に記載された発明によれば、請求項６の構成に加えて、前記第１遮光層は前記凹部の内面に形成された金属蒸着膜からなることを特徴とする表示装置が提案される。
【００１３】
また請求項８に記載された発明によれば、請求項７の構成に加えて、前記第１遮光層は前記金属蒸着膜の裏面側に積層された黒色印刷層を更に備えることを特徴とする表示装置が提案される。
【００１４】
また請求項９に記載された発明によれば、請求項１〜請求項８の何れか１項の構成に加えて、車両のドア開口の下縁のステップ部に設けられることを特徴とする表示装置が提案される。
【００１５】
なお、実施の形態の銀色印刷層２７は本発明の表面色印刷層に対応する。
【発明の効果】
【００１６】
請求項１の構成によれば、表示装置は、一部の領域における光の透過を遮断可能な透明な板状基板と、板状基板の裏面側に配置される面状発光体と、板状基板および面状発光体間に配置されて一部の領域における光の透過を遮断可能な遮光板とを備え、板状基板に文字あるいは図形よりなる所定形状の意匠部を表示する。板状基板の裏面側は意匠部の輪郭と同形状の凹部よりなる第１遮光領域を備えるとともに、遮光板の表面側あるいは裏面側は凹部の輪郭を第１寸法だけ外側に拡大した形状を有する第２遮光領域を備え、第１遮光領域には面状発光体からの光を遮断する第１遮光層が形成され、第２遮光領域には面状発光体からの光を遮断する第２遮光層が形成されるので、明るい昼間には第１遮光層が立体的な意匠部として透明な板状基板を通して目視可能になって美観を高めることができ、暗い夜間には面状発光体からの光が第１遮光層および第２遮光層の隙間から意匠部の外周に沿って透過することで、意匠部を浮かび上がらせて美観を高めることができる。また意匠部を立体的に見せながら板状基板の表面を平坦に保つことができるので、他物体が意匠部に引っ掛かるのを防止することができる。
【００１７】
また請求項２の構成によれば、遮光板の表面側あるいは裏面側は凹部の輪郭を第２寸法だけ内側に縮小した形状を有する第３遮光領域を備え、第３遮光領域には面状発光体からの光を遮断する第３遮光層が形成されるので、金属蒸着膜の膜厚が不足したりピンホールが存在したりしても、面状発光体からの光を黒色印刷層で遮って金属蒸着膜から漏れないようにすることで、意匠部の美観を更に高めることができる。
【００１８】
また請求項３の構成によれば、第２寸法は、板状基板に遮光板を組み付けた際の該板状基板の裏面に沿う方向の組付公差よりも大きいので、板状基板に対して遮光板が位置ずれして組付けられても、第３遮光層が意匠部の輪郭から外側にはみ出ることがなくなり、意匠部の美観低下が防止される。
【００１９】
また請求項４の構成によれば、第１遮光層は凹部の内面に形成された金属蒸着膜からなるので、意匠部をメタリック調に輝かして美観を高めることができる。
【００２０】
また請求項５の構成によれば、第２遮光層は表面色印刷層、白色印刷層および黒色印刷層を表面側から裏面側に積層して構成されるので、面状発光体からの光を黒色印刷層で確実に遮りながら、黒色印刷層および表面色印刷層間に挟まれた白色印刷層により表面色印刷層の発色を良好にし、板状基板の表面側から目視される表面色印刷層の美観を高めることができる。
【００２１】
また請求項６の構成によれば、表示装置は、一部の領域における光の透過を遮断可能な透明な板状基板と、板状基板の裏面側に配置される面状発光体とを備え、板状基板に文字あるいは図形よりなる所定形状の意匠部を表示する。板状基板の裏面側は、意匠部の輪郭と同形状の凹部よりなる第１遮光領域と、凹部の周囲を第１寸法の隙間を介して取り囲む第２遮光領域とを備え、第１遮光領域には面状発光体からの光を遮断する第１遮光層が形成され、第２遮光領域には面状発光体からの光を遮断する第２遮光層が形成されるので、明るい昼間には第１遮光層が立体的な意匠部として透明な板状基板を通して目視可能になって美観を高めることができ、暗い夜間には面状発光体からの光が第１遮光層および第２遮光層の隙間から意匠部の外周に沿って透過することで、意匠部を浮かび上がらせて美観を高めることができる。また意匠部を立体的に見せながら板状基板の表面を平坦に保つことができるので、意匠部に他物体が引っ掛かるのを防止することができ、しかも板状基板に遮光板の機能を持たせることで、遮光板を廃止して表示装置の厚さを薄くすることができる。
【００２２】
また請求項７の構成によれば、第１遮光層は凹部の内面に形成された金属蒸着膜からなるので、意匠部をメタリック調に輝かして美観を高めることができる。
【００２３】
また請求項８の構成によれば、第１遮光層は金属蒸着膜の裏面側に積層された黒色印刷層を更に備えるので、金属蒸着膜の膜厚が不足したりピンホールが存在したりしても、面状発光体からの光を黒色印刷層で遮って金属蒸着膜から漏れないようにすることで、意匠部の美観を更に高めることができる。
【００２４】
また請求項９の構成によれば、表示装置が車両のドア開口の下縁のステップ部に設けられるので、車両への乗降時に表示装置が目視可能になって高級感が得られるだけでなく、夜間等には意匠部の周囲から漏れる光でステップ部を照らして乗降を容易にすることができる。
【図面の簡単な説明】
【００２５】
【図１】自動車の一部破断斜視図。（第１の実施の形態）
【図２】図１の２部拡大図。（第１の実施の形態）
【図３】表示装置の分解斜視図（第１の実施の形態）
【図４】図２の４方向矢視図。（第１の実施の形態）
【図５】図４の５−５線拡大断面図。（第１の実施の形態）
【図６】図４の６−６線拡大断面図。（第１の実施の形態）
【図７】図５に対応する図。（第２の実施の形態）
【発明を実施するための形態】
【第１の実施の形態】
【００２６】
以下、図１〜図６に基づいて本発明の第１の実施の形態を説明する。
【００２７】
図１に示すように、自動車のドア開口１１の下縁のステップ部１２の上面に沿ってガーニッシュ１３が設けられる。
【００２８】
図２に示すように、ガーニッシュ１３は合成樹脂製の板状部材よりなるガーニッシュ本体１４と、ガーニッシュ本体１４の上面に両面テープ１５で貼り合わされる金属製の保護プレート１６と、両面テープ１５の切欠き１５ａに嵌合してガーニッシュ本体１４の上面および保護プレート１６の下面間に挟持される表示装置１７とを備え、保護プレート１６に形成した開口部１６ａから表示装置１７の上面が上方に露出する。
【００２９】
次に、図３〜図６に基づいて表示装置１７の構造を詳述する。
【００３０】
表示装置１７は、外周に上向きのフランジ１８ａが形成された矩形状の不透明合成樹脂板よりなるケーシング１８を備えており、そのケーシング１８の上面に面状発光体１９、光拡散シート２０、遮光板２１および板状基板２２が重ね合わされ、板状基板２２の外周に形成された下向きのフランジ２２ａが、ケーシング１８のフランジ１８ａに嵌合して接着される。
【００３１】
板状基板２２の上面（表面）は基本的に平坦であるが、下面（裏面）には表示すべき文字からなる意匠部２３を構成する複数の凹部２２ｂが形成される、凹部２２ｂの内面は第１遮光領域Ａ１（図５参照）とされ、そこには光を遮断する第１遮光層Ｌ１としてのアルミニウムの金属蒸着膜２４が形成される。
【００３２】
板状基板２２の下面に積層される透明合成樹脂板よりなる遮光板２１は、凹部２２ｂの輪郭の周囲を第１距離Ｗ１（例えば、１．０ｍｍ）を存して取り囲む第２遮光領域Ａ２（図５参照）と、凹部２２ｂの輪郭の内側に第２距離Ｗ２（例えば、０．１ｍｍ）を存して区画される第３遮光領域Ａ３（図５参照）とを備える。
【００３３】
遮光板２１の上面（表面）に形成される第２遮光領域Ａ２には、下から上に順番に黒色印刷層２５、白色印刷層２６および銀色印刷層２７を３層に積層した第２遮光層Ｌ２が形成される。同様に遮光板２１の上面（表面）に形成される第３遮光領域Ａ３には、下から上に順番に黒色印刷層２５、白色印刷層２６および銀色印刷層２７を３層に積層した第３遮光層Ｌ３が形成される。なお、本実施の形態では第２、第３遮光層Ｌ２，Ｌ３が遮光板２１の上面（表面）に形成されるが、第２、第３遮光層Ｌ２，Ｌ３を遮光板２１の下面（裏面）に形成することも可能である。この場合にも、第２、第３遮光層Ｌ２，Ｌ３は、下から上に順番に黒色印刷層２５、白色印刷層２６および銀色印刷層２７を３層に積層した構造とされる。
【００３４】
遮光板２１の下面に光拡散シート２０を挟んで積層される面状発光体１９は透明合成樹脂製の厚板であって、その一端に設けられたＬＥＤよりなる光源２８に通電のためのワイヤ２９が接続される。光源２８から出た光は面状発光体１９の内部を乱反射しながら一端側から他端側に伝達し、ケーシング１８で覆われていない面状発光体１９の上面を発光させる。光拡散シート２０は、面状発光体１９の上面から出た光を均一に拡散する。光拡散シート２０は省略することも可能である。
【００３５】
板状基板２２の下面には２本の短い円柱状の位置決めピン２２ｃが下向きに突設されており、この位置決めピン２２ｃが遮光板２１を貫通する２個の位置決め孔２１ａに嵌合することで、板状基板２２に対して遮光板２１が位置決めされる。
【００３６】
次に、上記構成を備えた本発明の実施の形態の作用を説明する。
【００３７】
自動車のドアを開くと、ドア開口１１の下縁のステップ部１２に設けられた表示装置１７が露出し、表示装置１７の透明な板状基板２２の内部の意匠部２３が目視可能となる。意匠部２３は透明な板状基板２２の下面の凹部２２ｂの内面に形成した第１遮光層Ｌ１の銀色の金属蒸着膜２４で構成されるため、意匠部２３が板状基板２２の内部に立体的な金属物体を埋設したように見えるだけでなく、その意匠部２３が透明な板状基板２２を透して目視される第２遮光層Ｌ２の銀色印刷層２７により取り囲まれるために高い美観を得ることができる。
【００３８】
凹部２２ｂの彫りを深くするほど意匠部２３の立体感が増して美観が向上するが、意匠部２３は板状基板２２の下面の凹部２２ｂで構成されるので、美観を高めるべく意匠部２３の高さを増しても板状基板２２の上面側に突出することがなく、意匠部２３が乗員の靴に当たって傷ついたり、意匠部２３が乗員の乗降の邪魔になったりすることがない。また意匠部２３を取り囲む第２遮光層Ｌ２の銀色印刷層２７は、黒色印刷層２５の上面に直接形成されておらず、白色印刷層２６を介在させた状態で形成されるので、銀色印刷層２７の発色が良好になって美観が一層向上する。
【００３９】
また周囲が暗くなる夜間には、面状発光体１９から出て光拡散シート２０を透過した光が、第１遮光層Ｌ１および第２遮光層Ｌ２間に形成された第１寸法Ｗ１の隙間を通過して意匠部２３の外周に漏れることで、意匠部２３が光の中に浮かび上がって美観が向上する。このとき、第２遮光層Ｌ２は光が透過し難い黒色印刷層２５を含むため、面状発光体１９の光が第２遮光層Ｌ２を透過して板状基板２２の上面側に漏れることはない。また意匠部２３の第１遮光層Ｌ１の金属蒸着膜２４には、ピンホールや膜厚の薄い部分が発生する場合があり、そこから光が漏れて美観を損ねる虞があるが、第１遮光層Ｌ１の下方に光が透過し難い黒色印刷層２５を含む第３遮光層Ｌ３が存在するため、意匠部２３から光が漏れて美観を損ねることはない。
【００４０】
また遮光板２１は板状基板２２に対して位置決めピン２２ｃで位置決めされているが、組付公差の範囲で板状基板２２に対して遮光板２１が位置ずれすると、意匠部２３の外周に第３遮光層Ｌ３の一部がはみ出してしまい、意匠部２３の輪郭が不鮮明になって美観を損ねる虞がある。しかしながら、本実施の形態によれば、意匠部２３の輪郭に対して第３遮光層Ｌ３は第２寸法Ｗ２だけ小さく形成されており、かつ前記第２寸法Ｗ２は前記組付公差よりも大きく設定されているため、意匠部２３の外周に第３遮光層Ｌ３の一部がはみ出して美観を損ねることはない。
【第２の実施の形態】
【００４１】
次に、図７に基づいて本発明の第２の実施の形態を説明する。
【００４２】
第２の実施の形態は、第１の実施の形態の遮光板２１を廃止して部品点数およびコストの削減を図ったものである。
【００４３】
すなわち、第２の実施の形態では、第２遮光領域Ａ２の第２遮光層Ｌ２が、遮光板２１の上面ではなく板状基板２２の下面に形成される。第２遮光層Ｌ２の構成は第１の実施の形態と同じであり、下から上に順番に黒色印刷層２５、白色印刷層２６および銀色印刷層２７を３層に積層して構成される。
【００４４】
また第１の実施の形態では、第３遮光領域Ａ３の第３遮光層Ｌ３が遮光板２１に形成されていたが、本実施の形態では第３遮光層Ｌ３が意匠部２３の金属蒸着膜２４の下面に積層された１層の黒色印刷層３０で構成される。黒色印刷層３０は光を透過し難いため、金属蒸着膜２４にピンホール等の欠陥があっても、意匠部２３の上面側に光が漏れるのを確実に防止することができる。
【００４５】
以上、本発明の実施の形態を説明したが、本発明はその要旨を逸脱しない範囲で種々の設計変更を行うことが可能である。
【００４６】
例えば、本発明の表示装置の用途は、実施の形態の自動車のステップ部１２に設けられるガーニッシュ１３用に限定されるものではない。
【００４７】
また第１の実施の形態では第２遮光層Ｌ２および第３遮光層Ｌ３を遮光板２１の上面側（表面側）に設けているが、それを下面側（裏面側）に設けても良い。
【００４８】
また本発明の表面色印刷層は実施の形態の銀色印刷層２７に限定されず、任意の色の印刷層であっても良い。
【００４９】
また本発明の意匠部は文字を表すものに限定されず、図形等の任意の形状を表すものであっても良い。
【００５０】
また実施の形態の第１遮光層Ｌ１は金属蒸着膜２４で構成されているが、それを印刷層で構成しても良い。
【符号の説明】
【００５１】
１１        ドア開口
１２        ステップ部
１９        面状発光体
２１        遮光板
２２        板状基板
２２ｂ      凹部
２３        意匠部
２４        金属蒸着膜
２５        黒色印刷層
２６        白色印刷層
２７        銀色印刷層（表面色印刷層）
３０        黒色印刷層
Ａ１        第１遮光領域
Ａ２        第２遮光領域
Ａ３        第３遮光領域
Ｌ１        第１遮光層
Ｌ２        第２遮光層
Ｌ３        第３遮光層
Ｗ１        第１寸法
Ｗ２        第２寸法
【図１】
2018066881.tif 000003
【図２】
2018066881.tif 000004
【図３】
2018066881.tif 000005
【図４】
2018066881.tif 000006
【図５】
2018066881.tif 000007
【図６】
2018066881.tif 000008
【図７】
2018066881.tif 000009